(57)【特許請求の範囲】
【請求項１】
キャビティに通じる流路を上流側と下流側とに区画するように複数の平板状のフィルタ部材を互いに交差するように配置し、前記流路に成形材料を流すことにより前記複数のフィルタ部材により濾過された前記成形材料を前記キャビティに流し込んで凝固させ、成形品を製造する成形方法であって、
２枚の前記フィルタ部材を、互いに対向するように、且つ、前記流路に沿い、対向する面とは反対側の面が前記流路の内周面から離間するように配置し、
１枚の前記フィルタ部材を、前記２枚のフィルタ部材間の隙間を上流側又は下流側から塞ぐように前記２枚のフィルタ部材に交差して配置する
成形方法。
【請求項２】
一本の流路内において、前記２枚のフィルタ部材及び前記１枚のフィルタ部材の組み合わせを、前記２枚のフィルタ部材の対向方向において複数配列した
請求項１に記載の成形方法。
【請求項３】
キャビティに通じる流路に成形材料を流すことによりフィルタ部材により濾過された前記成形材料を前記キャビティに流し込んで凝固させ、成形品を製造する成形方法に用いられる成形材料用フィルタであって、
前記流路を上流側と下流側とに区画するように、且つ、互いに交差するように配置された複数の平板状の前記フィルタ部材を有し、
前記複数のフィルタ部材は、
互いに対向するように、且つ、前記流路に沿い、対向する面とは反対側の面が前記流路の内周面から離間する２枚の前記フィルタ部材と、
前記２枚のフィルタ部材間の隙間を上流側又は下流側から塞ぐように前記２枚のフィルタ部材に交差する１枚の前記フィルタ部材と、を含む
成形材料用フィルタ。
【請求項４】
キャビティに通じる流路に成形材料を流すことによりフィルタ部材により濾過された前記成形材料を前記キャビティに流し込んで凝固させ、成形品を製造する成形方法に用いられるフィルタ付型であって、
前記キャビティ及び前記流路が形成された型本体と、
前記型本体に固定され、前記流路を上流側と下流側とに区画するように、且つ、互いに交差するように配置された複数の平板状の前記フィルタ部材と、
を有し、
前記複数のフィルタ部材は、
互いに対向するように、且つ、前記流路に沿い、対向する面とは反対側の面が前記流路の内周面から離間する２枚の前記フィルタ部材と、
前記２枚のフィルタ部材間の隙間を上流側又は下流側から塞ぐように前記２枚のフィルタ部材に交差する１枚の前記フィルタ部材と、を含む
フィルタ付型。
【発明の詳細な説明】
【技術分野】
【０００１】
本発明は、鋳造方法等の成形方法、当該成形方法に使用可能な成形材料用フィルタ及びフィルタ付型に関する。
【背景技術】
【０００２】
鋳造方法等の成形方法において、型内に通じる流路にフィルタを配置して成形材料を濾過する技術が知られている。例えば、鋳造方法では、一般に、平板状のセラミックフィルタが流路（湯口、湯道、堰など）に直交するように配置される。なお、この場合、セラミックフィルタが溶湯を通過させる濾過面積は、流路の直交断面の面積に等しい。
【０００３】
特許文献１では、円筒状のセラミックフィルタを、流路方向を軸方向として流路内に配置する技術を開示している。特許文献１の技術では、溶湯は、円筒状のセラミックフィルタの外周面側から内周面側へセラミックフィルタを通過し、その後、セラミックフィルタ内の空洞を軸方向へ流れる。特許文献１の技術では、上記のような平板状のセラミックフィルタよりも流路に対するフィルタの濾過面積が増加することから、省スペース化が図られつつ、溶湯のフィルタにおける通過量が増加する。
【特許文献１】特開平１１−２８５７８２号公報
【発明の開示】
【発明が解決しようとする課題】
【０００４】
しかし、特許文献１の技術は、円筒形状のセラミックフィルタを形成しなければならないことから、種々の問題を生じる。例えば、円筒形状のセラミックフィルタは、一般に流通されているものではないこと等からコストが高い。また、円筒は、体積に比較して表面積が小さい形状であることから、効率的に溶湯を通過させることができない。
【０００５】
本発明の目的は、汎用性の高いフィルタ部材を用い、且つ、省スペース化を図りつつ、成形材料のフィルタにおける通過量を多くすることができる成形方法、成形材料用フィルタ及びフィルタ付型を提供することにある。
【課題を解決するための手段】
【０００６】
本発明の成形方法は、キャビティに通じる流路を上流側と下流側とに区画するように複数の平板状のフィルタ部材を互いに交差するように配置し、前記流路に成形材料を流すことにより前記複数のフィルタ部材により濾過された前記成形材料を前記キャビティに流し込んで凝固させ、成形品を製造する。
【０００７】
好適には、２枚の前記フィルタ部材を、互いに対向するように、且つ、前記流路に沿い、対向する面とは反対側の面が前記流路の内周面から離間するように配置し、１枚の前記フィルタ部材を、前記２枚のフィルタ部材間の隙間を上流側又は下流側から塞ぐように前記２枚のフィルタ部材に交差して配置する。
【０００８】
好適には、一本の流路内において、前記２枚のフィルタ部材及び前記１枚のフィルタ部材の組み合わせを、前記２枚のフィルタ部材の対向方向において複数配列した。
【０００９】
本発明の成形材料用フィルタは、キャビティに通じる流路を上流側と下流側とに区画するように、且つ、互いに交差するように配置された複数の平板状のフィルタ部材を有する。
【００１０】
本発明のフィルタ付型は、キャビティ及び当該キャビティに通じる流路が形成された型本体と、前記型本体に固定され、前記流路を上流側と下流側とに区画するように、且つ、互いに交差するように配置された複数の平板状のフィルタ部材と、を有する。
【００１１】
好適には、前記型本体は、第１の分割面を有する第１の型と、前記第１の分割面に合わせられる第２の分割面を有する第２の型と、を有し、前記流路は、前記第１の分割面に形成された凹部により構成される上流側流路と、前記第２の型に設けられ、前記第２の分割面に開口して前記上流側流路に通じ、前記第２の分割面に交差する方向を流路方向とする下流側流路と、を有し、前記複数のフィルタ部材は、前記下流側流路の流路方向に沿うように配置された第１のフィルタ部材と、前記第１のフィルタ部材と、他のフィルタ部材又は前記下流側流路の内周面との隙間を上流側から塞ぐように前記第１のフィルタ部材に交差して配置された第２のフィルタ部材と、を有し、前記下流側流路の内周面には、前記第１のフィルタ部材が前記第２の分割面から前記下流側流路に挿入されたときに前記第１のフィルタ部材の外周部が嵌合する、前記下流側流路の流路方向に沿う溝部と、前記第２のフィルタ部材が前記第２の分割面から前記下流側流路に挿入されたときに前記第２のフィルタ部材の外周部が嵌合する、前記下流側流路の上流端に設けられた拡径部と、が形成されている。
【発明の効果】
【００１２】
本発明によれば、汎用性の高いフィルタ部材を用い、且つ、省スペース化を図りつつ、成形材料のフィルタにおける通過量を多くすることができる。
【発明を実施するための最良の形態】
【００１３】
（第１の実施形態）
図１は、本発明の実施形態に係る成形方法としての鋳造方法を説明する図であり、図１（ａ）は、鋳型１の平面視における透視図であり、図１（ｂ）は、図１（ａ）のＩｂ−Ｉｂ線における断面図である。なお、図１は、鋳型１の概略を模式的に示すものであり、細部の形状の図示は省略されている。
【００１４】
鋳型１の内部には、例えば、成形品と同一形状の空間であるキャビティ７と、キャビティ７に溶湯を供給するための流路である湯口系９とが形成されている。湯口系９は、例えば、溶湯を鋳型１内に流し込む入口にあたる、概ね鉛直方向に延びる湯口１１と、湯口１１から概ね水平方向へ延びる湯道１３と、湯道１３から分岐してキャビティ７へ通じる複数の堰１５とを有している。
【００１５】
湯道１３と複数の堰１５との間には、複数の堰１５に対応して複数のフィルタ部１７が形成されている。フィルタ部１７は、キャビティ７に供給される溶湯を濾過する部分である。フィルタ部１７は、湯道１３及び堰１５を連通するフィルタ配置空間１９に、溶湯を濾過するフィルタ２１（図１では図示省略。図２（ｂ）参照）が配置されて構成されている。
【００１６】
鋳型１は、例えば、図１（ｂ）に示すように、上側分割面３ａ及び下側分割面５ａにて互いに当接する上型３及び下型５を有している。キャビティ７は、例えば、上型３及び下型５にそれぞれ形成された凹部により構成されている。湯口１１は、例えば、上型３に形成された孔により構成されている。湯道１３は、例えば、上型３の上側分割面３ａに形成された溝（凹部）により構成されている。フィルタ配置空間１９は、例えば、下型５の下側分割面５ａに開口する凹部により構成されている。堰１５は、例えば、下型５に形成された孔により構成されている。上側分割面３ａ及び下側分割面５ａは湯道１３及びフィルタ配置空間１９の境界となっている。
【００１７】
鋳型１は、例えば、砂型により構成されており、枠３１と、枠３１内に込められた砂３３とを有している。枠３１は、例えば、鋳鉄、鋼、若しくは、木材により構成されている。砂３３は、例えば、粒状の珪砂に粘結剤が混ぜ込まれて構成されている。
【００１８】
図２は、フィルタ部１７を説明する図であり、図２（ａ）は、鋳型１からフィルタ部１７を切り取ってフィルタ配置空間１９を示す斜視図であり、図２（ｂ）は、フィルタ２１をフィルタ配置空間１９に配置した状態で示す、図２（ａ）のＩＩｂ−ＩＩｂ線における断面図であり、図２（ｃ）は、フィルタ配置空間１９等を形成するための模型２３の外観斜視図である。
【００１９】
フィルタ配置空間１９は、例えば、概ね直方体状に形成されており、４方は側面１９ｂ、１９ｃ、１９ｄ、１９ｅにより囲まれ、湯道１３側（図２の紙面上方側）は、全面的に開口して湯道１３に通じ、堰１５側（図２の紙面下方側）の面（底面１９ｆ）には、当該面の面積よりも小さい面積で堰１５が開口している。
【００２０】
フィルタ２１は、平板状のフィルタ部材２５Ａ、２５Ｂ及び２５Ｃ（以下、Ａ〜Ｃを省略することがある。）を有している。フィルタ部材２５は、例えば、セラミックス等の多孔質体により構成されており、３次元網状構造を有している。多孔質体がセラミックにより形成されている場合、セラミックは、炭化珪素、窒化珪素、若しくは、アルミナ等の適宜な材料を成分として含んでよい。
【００２１】
３枚のフィルタ部材２５は、例えば、それぞれ同等の大きさを有する矩形状に形成され、互いに交差するように立体的に配置されている。具体的には、３枚のフィルタ部材２５は、堰１５側（図２の紙面下方側）を開放側としてＵ字を形成するように配置されている。すなわち、フィルタ部材２５Ｂ及び２５Ｃは、フィルタ配置空間１９の流路方向（湯道１３から堰１５への方向、本実施形態では図２の紙面上方側から下方側への方向）に沿うように、且つ、互いに対向するように配置され、フィルタ部材２５Ａは、フィルタ部材２５Ｂとフィルタ部材２５Ｃとの隙間を上流側から塞ぐように、フィルタ部材２５Ｂ及び２５Ｃの上流側の端部に当接して配置されている。なお、フィルタ部材２５Ａは、湯道１３の側面に面するとともに、フィルタ配置空間１９の流路方向に交差（より詳細には直交）している。
【００２２】
フィルタ部材２５Ｂ及び２５Ｃは、それぞれ、フィルタ配置空間１９の側面１９ｂ及び１９ｃに対向して配置されている。すなわち、フィルタ部材２５Ｂ及び２５Ｃは、互いに対向する面とは反対側の面がフィルタ配置空間１９の内周面から離間して配置されている。また、フィルタ部材２５Ａは、外周部（４辺）が側面１９ｂ〜１９ｅに沿うように配置されるとともに、２辺が側面１９ｂ及び１９ｃから離間して配置されている。従って、湯道１３からフィルタ配置空間１９に流れ込む溶湯は、フィルタ部材２５Ｂと側面１９ｂとの隙間、フィルタ部材２５Ｃと側面１９ｃとの隙間に流れ込むことが可能である。
【００２３】
また、フィルタ部材２５Ｂ及び２５Ｃの外周部（４辺）は、側面１９ｄ及び１９ｅ、底面１９ｆ、並びに、フィルタ部材２５Ａに隙間なく当接している。また、フィルタ部材２５Ａの外周部のうち２辺は、側面１９ｄ及び１９ｅに隙間なく当接している。従って、３枚のフィルタ部材２５は、湯道１３に連通する空間と、堰１５に連通する空間とを区画しており、湯道１３の溶湯は、３枚のフィルタ部材２５のいずれかを通過しなければ堰１５に流れ込まないようになっている。
【００２４】
フィルタ配置空間１９を形成する面には、フィルタ部材２５Ａ〜２５Ｃを位置決めしたり、溶湯の通過に伴って溶湯からフィルタ部材２５に加えられる荷重に抗してフィルタ部材２５を係合するための溝部等が形成されている。
【００２５】
具体的には、側面１９ｄ及び１９ｅには、下側分割面５ａから底面１９ｆまでフィルタ配置空間１９の流路方向に沿って直線状に延びる溝部１９ｇが合計４本形成され、底面１９ｆには、２本の溝部１９ｇを結ぶ溝部１９ｈが合計２本形成されている。従って、フィルタ部材２５Ｂ及び２５Ｃは、下側分割面５ａからフィルタ配置空間１９へ、溝部１９ｇに案内されつつスライド挿入され、溝部１９ｇ及び１９ｈに嵌合し、下側分割面５ａ側への移動以外の移動が規制される。
【００２６】
また、側面１９ｄ及び１９ｅには、下側分割面５ａ側（フィルタ配置空間１９の上流端）に、フィルタ部材２５Ａが嵌合する拡径部１９ｊが形成されている。従って、フィルタ部材２５Ａは、フィルタ配置空間１９の開口縁部において側面１９ｄ及び１９ｅの間に嵌合し、フィルタ部材２５Ｂ及び２５Ｃに支持されるとともに、側面１９ｄ及び１９ｅの、溝部１９ｇ間の突部に支持される。
【００２７】
以上の構成を有するフィルタ部１７の作用は以下のとおりである。湯口１１に供給され、湯道１３を流れる溶湯は、フィルタ配置空間１９を介して堰１５へ流れ込む。具体的には、湯道１３を流れる溶湯は、矢印ｙ１で示すように、フィルタ部材２５Ａを通過して堰１５側へ流れるとともに、矢印ｙ２及びｙ３で示すように、側面１９ｂ及び１９ｃと、フィルタ部材２５Ｂ及び２５Ｃとの隙間に流れ込み、フィルタ部材２５Ｂ及び２５Ｃを通過して堰１５側へ流れる。この際、溶湯からは不純物が取り除かれる。そして、堰１５へ流れ込んだ溶湯は、キャビティ７に流れ込んで凝固し、成形品となる。
【００２８】
また、以上の構成を有するフィルタ部１７のフィルタ配置空間１９は、例えば、以下のように形成される。図２（ｃ）に示す模型２３は、例えば、上型３に中空部を形成するための上部模型２７と、下型５に中空部を形成するための下部模型２９とを有している。本実施形態では、上部模型２７は、湯道１３のうち平面視においてフィルタ配置空間１９と重なる部分を形成し、下部模型２９は、フィルタ配置空間１９を形成する。
【００２９】
上部模型２７は、例えば、フィルタ配置空間１９側ほど、湯道１３の流路方向（図２の紙面左上から右下への方向）に直交する方向に拡径するように形成されている。また、下部模型２９は、概ね立方体状に形成されるとともに、上述の溝部１９ｇ、１９ｈ、拡径部１９ｊに対応する突条部が形成されている。なお、上部模型２７及び下部模型２９は、適宜にダボ等の位置決め手段が設けられてよい。
【００３０】
鋳型１は、模型２３等の模型が枠３１に対して位置決めされた状態で、枠３１内に砂３３が込められることにより形成される。その過程において、フィルタ配置空間１９は、枠３１のうち、下型５に対応する枠に、下部模型２９が位置決めされ、砂３３が込められることにより形成される。
【００３１】
以上の実施形態によれば、キャビティ７に通じる湯口系９を上流側（湯道１３側）と下流側（堰１５側）とに区画するように複数の平板状のフィルタ部材２５を互いに交差するように配置し、湯口系９に溶湯を流すことにより複数のフィルタ部材２５により濾過された溶湯をキャビティ７に流し込んで凝固させ、鋳造品を製造することから、溶湯がフィルタ２１を通過する面積は、湯口系９（より具体的には、フィルタ配置空間、若しくは、湯道１３とフィルタ配置空間１９との接続部）の断面積よりも大きい。一方、複数のフィルタ部材２５は、互いに交差するように組み合わされて湯口系９を上流側と下流側とに区画しているから、流路方向に見て（図１のような平面視において）、フィルタ２１の配置領域は拡大していない。換言すれば、湯道１３等の下方側の、従来は使用されていなかった領域が、フィルタ部材２５の配置空間として有効利用される。従って、省スペース化を図りつつ、溶湯のフィルタ２１における通過量を多くするこができる。そして、一般に製作や入手が容易な平板状のフィルタ部材２５を用いていることから、汎用性が高く、コストを低減できる。
【００３２】
また、本実施形態では、２枚のフィルタ部材２５Ｂ及び２５Ｃを、互いに対向するとともにフィルタ配置空間の内周面（側面１９ｂ及び１９ｃ）に対向するように配置し、１枚のフィルタ部材２５Ａを、２枚のフィルタ部材２５Ａ及び２５Ｃの上流側に、２枚のフィルタ部材２５Ｂ及び２５Ｃに掛け渡して配置することから、フィルタ部材２５Ａにより、従来と概ね同様に溶湯を濾過しつつ、フィルタ部材２５Ｂ及び２５Ｃにより、追加的に溶湯を濾過することができ、溶湯の通過量が飛躍的に増加する。具体的には、従来のように流路を横断するフィルタ部材を一つ設ける場合のみに比較して、本実施形態では、概ね３倍の溶湯を通過させることができる。さらに、フィルタ部材２５は矩形状に配置されることから、円形のフィルタ部材に比較して、体積に対する表面積が大きく、効率的に溶湯の通過量を増加させることができる。
【００３３】
鋳型１は、上側分割面３ａを有する上型３と、上側分割面３ａに合わせられる下側分割面５ａを有する下型５とを有し、湯口系９は、上側分割面３ａに形成された溝により構成される湯道１３と、下型５に形成されるとともに、下側分割面５ａに開口して湯道１３に通じ、下側分割面５ａに交差する方向を流路方向とするフィルタ配置空間１９とを有し、３枚のフィルタ部材２５は、フィルタ配置空間１９の流路方向に沿って配置されるフィルタ部材２５Ｂ及び２５Ｃと、フィルタ部材２５Ｂとフィルタ部材２５Ｃとの隙間を上流側から塞ぐように、フィルタ部材２５Ｂ及び２５Ｃに掛け渡して配置されたフィルタ部材２５Ａとを有し、フィルタ配置空間１９の内周面（側面１９ｂ及び１９ｃ）には、フィルタ部材２５Ｂ及び２５Ｃが、下側分割面５ａからフィルタ配置空間１９に挿入されたときにてフィルタ部材２５Ｂ及び２５Ｃの外周部が嵌合する、フィルタ配置空間１９の流路方向に沿う溝部１９ｇと、フィルタ部材２５Ａが、下側分割面５ａからフィルタ配置空間１９に挿入されたときにフィルタ部材２５Ａの外周部が嵌合する、フィルタ配置空間１９の上流端に設けられた拡径部１９ｊとが形成されていることから、複数のフィルタ部材２５を、上述のように立体的に配置し、且つ、溶湯から受ける荷重に抗することができるように鋳型１に固定することが容易である。
【００３４】
（第２の実施形態）
図３（ａ）は、本発明の第２の実施形態に係る鋳造方法に使用される鋳型のフィルタ部１１７の断面図である。図３（ｂ）は、フィルタ部１１７のフィルタ配置空間１１９を形成するための模型１２３を示す斜視図である。
【００３５】
第２の実施形態では、２本の堰１５に対して一のフィルタ配置空間１１９が形成され、２本の堰１５に対応して２つのフィルタ２１が配置されている。２つのフィルタ２１は、フィルタ配置空間１１９の流路方向に沿うフィルタ部材２５の一つが互いに対向するように配置され、その隙間は溶湯の流路となっている。
【００３６】
第２の実施形態によれば、一本の流路（フィルタ配置空間１１９）内において、フィルタ部材２５Ｂ及び２５Ｃの対向方向に、フィルタ２１が複数（２つ）配列されていることから、フィルタ２１間から砂３３が省略され、複数のフィルタ２１を第１の実施形態よりも隣接させることができ、一層の省スペース化が図られる。
【００３７】
なお、以上の実施形態において、鋳造方法は本発明の成形方法の一例であり、溶湯（溶融金属）は本発明の成形材料の一例であり、鋳造品は本発明の成形品の一例であり、湯口系９、又は、その一部である湯道１３及びフィルタ配置空間１９は、本発明のキャビティに通じる流路の一例であり、フィルタ２１は本発明の成形材料用フィルタの一例であり、鋳型１は本発明のフィルタ付型の一例であり、枠３１及び砂３３の組み合わせは本発明の型本体の一例であり、上型３は本発明の第１の型の一例であり、下型５は本発明の第２の型の一例であり、湯道１３は本発明の上流側流路の一例であり、フィルタ配置空間１９は本発明の下流側流路の一例であり、フィルタ部材２５Ｂ又はフィルタ部材２５Ｃは本発明の第１のフィルタ部材の一例であり、フィルタ部材２５Ａは本発明の第２のフィルタ部材の一例である。
【００３８】
本発明は、以上の実施形態に限定されず、種々の態様で実施されてよい。
【００３９】
本発明の成形方法は、鋳造に限定されない。換言すれば、成形材料は、溶湯（溶融金属）に限定されない。例えば、成形方法は、樹脂を成形する射出成形であってもよい。また、鋳造方法は、重力を利用するものでも利用しないものでもよいし、溶湯に加える圧力が低いものでも高いものでもよいし、ダイカスト法であってもよい。
【００４０】
型は、砂型に限定されず、例えば、金型であってもよい。また、型は、２つの型からなるものに限定されず、３つ以上の型からなるものであってもよい。また、型は、鉛直方向において型開閉されるものに限定されず、例えば、水平方向に型開閉がなされるものであってもよい。
【００４１】
キャビティに通じる流路は、型に形成されたものに限定されない。すなわち、型とは別個の部材により形成されてもよい。また、キャビティに通じる流路（湯口系）の形状は、湯口、湯道、複数の堰、及び、複数のフィルタ配置空間を有するものに限定されない。例えば、流路は、複数の堰が設けられず、湯口からキャビティまで１本の流路であってもよい。第１の分割面（実施形態では上側分割面３ａ）に形成されて上流側流路（実施形態では湯道１３）を構成する凹部は抜穴状のものであってもよく、例えば、実施形態において、湯道１３が省略され、湯口がフィルタ配置空間へ直接的に通じてもよい。
【００４２】
フィルタは、キャビティに通じる流路のどの位置に設けられてもよい。例えば、実施形態において示した湯口系において、湯口前に設けられてもよいし、湯道前に設けられてもよいし、堰の後に設けられてもよい。
【００４３】
複数のフィルタ部材は、３枚に限定されず、また、Ｕ字状に配置されるものに限定されない。例えば、２枚のフィルタ部材がＬ字状に組み合わされてもよいし（例えば、第１の実施形態において、フィルタ部材２５Ｂを省略するとともに、フィルタ部材２５Ｃと側面１９ｂとの隙間をフィルタ部材２５Ａにより塞ぐようにフィルタ部材２５Ａの外周部を側面１９ｂに当接させる。）、４枚のフィルタ部材が立方体の４面を構成するように組み合わされてもよい（例えば、第１の実施形態において、フィルタ部材２５Ｂ及び２５Ｃを側面２５ｄから離間させ、フィルタ部材２５Ｂとフィルタ部材２５Ｃとの側面２５ｄ側の隙間を塞ぐフィルタ部材２５を側面２５ｂ及び２５ｃに固定する。）。
【００４４】
３枚（以上）のフィルタ部材がＵ字状に配置される場合、下流側流路（実施形態ではフィルタ配置空間１９）の流路方向に沿うフィルタ部材（実施形態では、フィルタ部材２５Ｂ及び２５Ｃ）は、流路方向に厳密に平行でなくてもよく、傾斜していてもよいし、また、下流側流路の流路方向に交差するフィルタ部材（実施形態ではフィルタ部材２５Ａ）は、流路方向に直交していなくてもよい。Ｕ字状に配列された３枚（以上）のフィルタ部材の組み合わせが複数配列される場合、その配列される組み合わせの数は、２組に限定されず、３組以上であってもよい。
【図面の簡単な説明】
【００４５】
【図１】本発明の第１の実施形態に係る鋳造方法に用いられる鋳型の概略を示す図。
【図２】図１の鋳型のフィルタ部及びフィルタ部を形成するための模型を示す図。
【図３】本発明の第２の実施形態に係る鋳造方法に用いられる鋳型のフィルタ部及びフィルタ部を形成するための模型を示す図。
【符号の説明】
【００４６】
１…鋳型、３…上型（第１の型）、５…下型（第２の型）、７…キャビティ、９…湯口系（流路）、１１…湯口、１３…湯道（上流側流路）、１５…堰、１９…フィルタ配置空間（下流側流路）、２１…フィルタ（成形材料用フィルタ）、２５…フィルタ部材。
【図１】
0005026247.tif 000002
【図２】
0005026247.tif 000003
【図３】
0005026247.tif 000004